(57)【特許請求の範囲】
【請求項１】
鉄骨梁にスラブ床が結合される合成梁において、上記スラブ床は、上記鉄骨梁のウェブに固定された部材によって支持されており、上記鉄骨梁のウェブ部には、貫通孔が形成されており、
上記鉄骨梁で区画される隣り合う床部分に通じる上記貫通孔に、上記隣り合う床部分に配置する２本の鉄筋の端部側およびコンクリートを入り込ませて重ね継手を形成していることを特徴とする合成梁。
【請求項２】
請求項１に記載の合成梁において、上記スラブ床のコンクリートの上面が、上記鉄骨梁の上フランジの上面と略面一とされていることを特徴とする合成梁。
【請求項３】
請求項１または請求項２に記載の合成梁において、上記鉄骨梁のウェブまたはフランジに、上記スラブ床に入り込むスタッドが設けられたことを特徴とする合成梁。
【発明の詳細な説明】
【技術分野】
【０００１】
この発明は、鉄骨梁にスラブ床が結合される合成梁に関する。
【背景技術】
【０００２】
特許文献１には、鉄骨梁の上フランジとスラブコンクリートとを一体化して成る合成梁が開示されている。この合成梁は、鉄骨梁のウェブの上方位置にスラブ受け治具が取り付けられ、上フランジの下面或いはウェブにスタッドが設置され、上記スラブ受け治具の上に、鉄骨梁の上フランジの上面とスラブの上面とが一致するように揃えたスラブコンクリートが打設された鉄骨フランジの埋め込み型合成梁となっている。
【０００３】
また、特許文献２には、両端部が柱に剛接合された鉄骨梁にスラブ床が一体化された合成梁であって、上記鉄骨梁は、両端部よりも中央部の梁せいが小さく形成されるとともに、上記スラブ床は、その下面レベルが上記中央部の上フランジの上面となり、かつその上面レベルが上記両端部の上フランジの上面または当該上面に施工された耐火物の上面となるように打設されて上記鉄骨梁と一体化されている合成梁が開示されている。
【先行技術文献】
【特許文献】
【０００４】
【特許文献１】特許第４６０５８９６号
【特許文献２】特開２０１５-２２７６００号公報
【発明の概要】
【発明が解決しようとする課題】
【０００５】
しかしながら、上記従来構造では、上フランジ或いはウェブに多くのスタッドが設けられる構造であるため、その取り付け作業に時間を要し、作製コストが高くなるという欠点があった。
【０００６】
この発明は、上記の事情に鑑み、スタッドを不要にできる、或いは使用本数を削減できる合成梁を提供することを課題とする。
【課題を解決するための手段】
【０００７】
この発明の合成梁は、上記の課題を解決するために、鉄骨梁にスラブ床が結合される合成梁において、上記スラブ床は、上記鉄骨梁のウェブに固定された部材によって支持されており、上記鉄骨梁のウェブ部には、貫通孔が形成されており、上記貫通孔に上記スラブ床のコンクリートと鉄筋の少なくとも一方が入り込んでいることを特徴とする。
【０００８】
上記の構成であれば、上記貫通孔に入り込んだ鉄筋或いはコンクリートが、上記スラブ床と鉄骨梁とを一体化するジベルとして機能するので、スタッドの取り付けの工程を省略可能にして、作製コストを低減することができる。
【０００９】
上記スラブ床のコンクリートの上面が、上記鉄骨梁の上フランジの上面と略面一とされていてもよい。
【００１０】
上記貫通孔に２本の鉄筋を入り込ませて重ね継手を形成していてもよい。これによれば、鉄骨梁で区画される隣り合う床部分に長い鉄筋を通しで配置するのではなく、短い鉄筋を用いることが可能になり、作業効率も向上する。
【００１１】
上記鉄骨梁のウェブまたはフランジにスタッドが設けられていてもよい。これによれば、上記貫通孔によるジベル効果が在るため、上記スタッドの本数を少なくすることができる。
【発明の効果】
【００１２】
本発明であれば、スタッドを不要にできる或いはスタッドの本数を削減できるので、合成梁の作製コストを低減することができるという効果を奏する。
【図面の簡単な説明】
【００１３】
【図１】本発明の実施形態に係る合成梁を斜視により示した概略説明図である。
【図２】同図（Ａ）は本発明の他の実施形態に係る合成梁を示した概略の平面図であり、同図（Ｂ）は同概略の縦断面図である。
【図３】同図（Ａ）は本発明の他の実施形態に係る合成梁を示した概略の平面図であり、同図（Ｂ）は同概略の縦断面図である。
【図４】本発明の他の実施形態を示しており、合成梁の貫通孔部分の概略の縦断面図である。
【発明を実施するための形態】
【００１４】
以下、この発明の実施の形態を添付図面に基づいて説明する。
図１に示すように、この実施形態にかかる合成梁１は、鉄骨梁２と、デッキプレート３と、上記デッキプレート３上に設けられた鉄筋４と、上記鉄筋４に被るように上記デッキプレート３上に打設されたコンクリート５とを備えて成る。上記デッキプレート３と鉄筋４とコンクリート５とによって、スラブ床が形成されており、このスラブ床が上記鉄骨梁２に結合したものとなっている。
【００１５】
上記鉄骨梁２はＨ形鋼からなっている。なお、図１において実線で示している鉄骨梁２については、その上フランジを省略して示している。この鉄骨梁２のウェブ２ａには、縦断面略Ｌ字形状のアングル２１が、その水平面部を上側に向けた状態で、溶接等によって固定されており、このアングル２１の上記水平面部上に上記デッキプレート３が支持されている。このデッキプレート３は一般的な波形状を有するものを用いているが、他の波形状を有するものでもよい。そして、このデッキプレート３上には、上記鉄筋４が格子状に相互に連結されて設けられている。
【００１６】
また、上記鉄骨梁２のウェブ２ａには、貫通孔２ｂが多数形成されている。これら貫通孔２ｂは、上記アングル２１よりも上側となる位置において、鉄骨梁２の長手方向に間隔をおいて形成されている。なお、貫通孔２ｂは、ウェブ２ａと上フランジの境界のアール部にかからないように、当該アール部よりも下の位置に形成されているのが望ましい。上記貫通孔２ｂには、上記鉄筋４が挿通されている。上記貫通孔２ｂの直径は、例えば、３０〜５０ｍｍ程度とされ、上記鉄筋４の呼び径は、例えば、１０〜１３ｍｍ程度とされる。この実施形態では、上記貫通孔２ｂに１つおきに上記鉄筋４が挿通されたが、これに限らないものであり、また、全ての貫通孔２ｂに上記鉄筋４が挿通されていてもよいものである。
【００１７】
上記コンクリート５は、例えば、上記鉄骨梁２の上フランジの上面と略面一となる高さまで打設されている。また、このコンクリート５は、上記鉄筋４が挿通されていない貫通孔２ｂにも入り込んで固化している。すなわち、この例では、上記貫通孔２ｂに上記鉄筋４が入り込んだ構造部分と、上記貫通孔２ｂに上記コンクリート５が入り込んだ構造部分とが混在している。また、上記貫通孔２ｂと上記鉄筋４の相互の大きさにもよるが、上記鉄筋４の外周と上記貫通孔２ｂの内面との隙間にも上記コンクリート５を存在させる構造とすることができる。なお、全ての貫通孔２ｂに上記鉄筋４が挿通された構造とすることもでき、或いは、全ての貫通孔２ｂにコンクリート５のみが入り込む構造とすることもできる。
【００１８】
このような構成であれば、上記貫通孔２ｂに入り込んだ鉄筋４或いはコンクリート５が、スラブ床と鉄骨梁２とを一体化するジベルとして機能するので、スタッドの取り付けの工程を省略可能にして、作製コストを低減することができる。
【００１９】
図２（Ａ）および図２（Ｂ）に他の実施形態の合成梁１を示す。この合成梁１においては、ウェブ２ａに形成された貫通孔２ｂに鉄筋４或いはコンクリート５が入り込むとともに複数本のスタッド６も備えており、これによって、上記鉄骨梁２とスラブ床とを一体化している。上記スタッド６は、鉄骨梁２の上フランジの下面に垂下状に溶接等により固定されている。また、この実施形態では、ウェブ２ａを境にした一方側と他方側のスタッド６の配置ピッチを同じくする一方で位相を互いにずらすことにより、複数のスタッド６は千鳥状に配置されたものとなっている。このような構成であると、上記貫通孔２ｂによるジベル効果が在るため、上記スタッド６の本数を少なくしつつ上記鉄骨梁２とスラブ床とを一体化できる。
【００２０】
図３（Ａ）および図３（Ｂ）に他の実施形態の合成梁１を示す。この合成梁１においては、ウェブ２ａに形成された貫通孔２ｂに鉄筋４或いはコンクリート５が入り込むことによるジベルとともに複数本のスタッド７も備えており、これによって、上記デッキプレート３を備えるスラブ床と鉄骨梁２とを一体化している。上記スタッド７は、鉄骨梁２のウェブ２ａに水平配置で溶接等により固定されている。また、この実施形態では、ウェブ２ａを境にした一方側と他方側のスタッド７の配置ピッチを同じくする一方で位相を互いにずらすことにより、複数のスタッド７は千鳥状に配置されたものとなっている。さらに、この実施形態では、上記スタッド７は、ウェブ２ａに形成された貫通孔２ｂよりも下側の位置に形成されており、貫通孔２ｂの配置の影響を受けずに適切な配置で設けられるようになっている。もちろん、ウェブ２ａに形成された貫通孔２ｂと同じ高さの位置に上記スタッド７を設けるようにしてもよく、この場合には、貫通孔２ｂ間に限って上記スタッド７を設けることになる。このような構成においても、上記貫通孔２ｂによるジベル効果が在るため、上記スタッド７の本数を少なくしつつ上記鉄骨梁２とスラブ床とを一体化できる。
【００２１】
図４に他の実施形態の合成梁１を示す。この合成梁１においては、鉄骨梁２のウェブ２ａに形成された貫通孔２ｂに２本の鉄筋４の端部側を入り込ませて重ね継手を形成している。これによれば、鉄骨梁２で区画される隣り合う床部分に長い鉄筋４を通しで配置するのではなく、短い鉄筋を用いることが可能になり、作業効率も向上する。図４に示した例では、２本の鉄筋４の間に隙間が形成され、この隙間にコンクリートが入り込むようにしたが、このようなコンクリートが入り込む隙間を形成しない構造としてもよいものである。
【００２２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２３】
１    ：合成梁
２    ：鉄骨梁
２ａ  ：ウェブ
２ｂ  ：貫通孔
３    ：デッキプレート
４    ：鉄筋
５    ：コンクリート
６    ：スタッド
７    ：スタッド
２１  ：アングル（部材）
【図１】
0006777413.tif 000002
【図２】
0006777413.tif 000003
【図３】
0006777413.tif 000004
【図４】
0006777413.tif 000005